(57)【要約】      （修正有）【課題】各種電装機器の作動における省エネルギー化を図った安全通行誘導車両を提供する。【解決手段】車両１は、運転席１Ａの後方にトイレ室１０と設備室１１を有する荷室１Ｂを備えた貨物自動車型のものである。運転席１Ａの上方には、車両１に装備されている電装機器用の太陽光発電部と、外部電源接続部と、太陽光発電部で発電された電気及び外部電源接続部に接続された外部電源からの電気が充電されるバッテリーとを備えている。【選択図】図２
0003165120.tif 000002
【実用新案登録請求の範囲】
【請求項１】
太陽光発電部と、外部電源接続部と、前記太陽光発電部で発電された電気及び前記外部電源接続部に接続された外部電源からの電気が充電されるバッテリーと、前記バッテリーの電気により作動する電装機器と、を備えていることを特徴とする安全通行誘導車両。
【請求項２】
前記太陽光発電部は、ソーラーパネルを備え、該ソーラーパネルは、水平状態から傾斜状態に可変であることを特徴とする請求項１記載の安全通行誘導車両。
【請求項３】
前記ソーラーパネルが、鉛直線を中心として回転するように支持されていることを特徴とする請求項２記載の安全通行誘導車両。
【請求項４】
前記ソーラーパネルは、複数のパネル部材を折畳み可能に連結し、発電時に拡開するようにされていることを特徴とする請求項１又は２記載の安全通行誘導車両。
【考案の詳細な説明】
【技術分野】
【０００１】
本考案は、道路等の工事現場において歩行者や一般車両の通行を安全に誘導する車両に関する。
【背景技術】
【０００２】
安全通行誘導車両は、歩行者や一般車両の通行を誘導する誘導用の表示板を備え、車両を移動させることによって、表示板の工事現場内における設置位置の変更及び工事現場間の移動、更には、表示板の撤収等を迅速に行えるものが知られている。
【０００３】
下記、特許文献１に記載の安全通行誘導車両は、誘導用の表示板が電光表示板になっており、昼夜問わず表示板の表示を視認し易いようにしている。また、糞尿をおが屑や木チップ等と混合攪拌して微生物処理する分解処理装置を有する分解処理トイレが設けられており、工事現場におけるトイレカーとしても利用できるようになっている。
【先行技術文献】
【特許文献】
【０００４】
【特許文献１】特開２０００−３５５２４２号公報
【考案の概要】
【考案が解決しようとする課題】
【０００５】
特許文献１に記載の従来技術は、電光表示板や分解処理トイレの攪拌装置等の電装機器に必要な電力を、車両用のバッテリーに蓄電された電気や発電機で発電した電気で賄うようにしている。しかしながら、車両用のバッテリーを使用する場合には、バッテリー上がりが発生しないように、車両のエンジンを常にかけていなければならないし、発電機を使用する場合にも、発電機のエンジンを常にかけていなければならないため、発電による排気ガスや騒音が常に発生しており、工事現場の周辺環境を悪化させてしまうという問題があり、燃料消費量も相当なものとなってしまうという問題もあった。
【０００６】
本考案は、このような問題に対処することを課題とするものである。すなわち、周辺環境を悪化させることなく、安全通行誘導車両の各種電装機器を作動できること、安全通行誘導車両の各種電装機器の作動における省エネルギー化を達成できること、等が本考案の目的である。
【課題を解決するための手段】
【０００７】
このような目的を達成するため、本考案に係る安全通行誘導車両は、次の構成を少なくとも具備する。
【０００８】
太陽光発電部と、外部電源接続部と、前記太陽光発電部で発電された電気及び前記外部電源接続部に接続された外部電源からの電気が充電されるバッテリーと、前記バッテリーの電気により作動する電装機器と、を備えていることを特徴としている。
【考案の効果】
【０００９】
このような特徴を有することで本考案は以下の効果を奏する。すなわち、太陽光発電部による電気及び外部電源による電気をバッテリーに充電し、このバッテリーに充電された電気によって電装機器を作動させ、日中であれば太陽光発電部が発電する電気をバッテリーに充電するようになっているため、周辺環境を悪化させることなく、安全通行誘導車両の各種電装機器を作動できる上に、安全通行誘導車両の各種電装機器の作動における省エネルギー化を達成できる。
【図面の簡単な説明】
【００１０】
【図１】本考案に係る実施形態の安全通行誘導車両の背面図。
【図２】同、側面図。
【図３】同、平面図。
【図４】電気配線の構成図。
【考案を実施するための形態】
【００１１】
太陽光発電部は、安全通行誘導車両の上方にソーラーパネルを備え、このソーラーパネルは、そのパネル面が水平状態から傾斜状態に可変であることが好ましい。また、このソーラーパネルを、鉛直線を中心として回転するように支持することが好ましい。更に、このソーラーパネルは、複数のパネル部材を折畳み可能に連結し、発電時に拡開する構成が好ましい。
【００１２】
電装機器は、ＬＥＤ電光表示板、回転灯（赤色灯、黄色灯）、工事表示灯、分解処理トイレの分解処理装置、トイレ室の室内灯、電気配線用差込接続機等、が挙げられる。
【００１３】
以下、本考案に係る実施形態の安全通行誘導車両（以下「車両」という）１を図面に基づいて説明すると、図１〜図３は車両１の構成図である。
【００１４】
車両１は、運転席１Ａの後方にトイレ室１０と設備室１１を有する荷室１Ｂを備えた貨物自動車型のものである。運転席１Ａの上方には、車両１に装備されている電装機器Ｄ用のバッテリーＢ１に充電する電気を発電する太陽光発電部Ｃの一部を構成するソーラーパネルＣ１が備えられている。
【００１５】
荷室１Ｂの後方には、図４に示す電装機器Ｄの一例であるＬＥＤ電光表示板２０、回転灯２１、工事表示灯２２が備えられている。トイレ室１０には、図４に示す電装機器Ｄの一例である分解処理装置２３Ａを備えた分解処理トイレ２３、室内灯２４が備えられている。設備室１１には、図４に示す電装機器Ｄを動作させる主電源Ｅ及び予備電源Ｆが備えられている。尚、電装機器Ｄは例示した機器に限定するものではない。
【００１６】
主電源Ｅは、バッテリーＢ１、外部電源接続部Ｂ２、外部電源接続部Ｂ２に接続された外部電源（図示せず）から電気をバッテリーＢ１に充電するための充電装置Ｂ３、ＤＣ−ＡＣインバータＢ４、分電盤Ｂ５が備えられている。外部電源接続部Ｂ２は、家庭用ＡＣ１００Ｖ電源を接続できるものであり、このように家庭用電源を使用することにより、バッテリーＢ１への充電が極めて容易に行うことができる。
【００１７】
予備電源Ｆは、太陽光発電部Ｃを備えており、更に、ソーラーパネルＣ１で発電された電気を、バッテリーＢ１に充電するための充電装置Ｂ６を備えている。尚、予備電源Ｆに風力発電装置（図示せず）を備えてもよい。
【００１８】
通常、主電源Ｅにおいて充電された電気を用いて電装機器Ｄを動作させるが、このとき、電気が減少するバッテリーＢ１に太陽光発電部Ｃで発電された電気を補充するようになっている。すなわち、太陽が出ている時間において、太陽光発電部Ｃが常に発電し、この電気をバッテリーＢ１に蓄電させることができる。このため、発電機（図示せず）や車両１のエンジンを回すことによる発電を行わなくても、長時間にわたって電装機器Ｄを作動させることができる。したがって、周辺環境を悪化させることなく、車両１の電装機器Ｄを作動できる上に、車両１の電装機器Ｄの作動における省エネルギー化を達成できる。
【００１９】
ソーラーパネルＣ１は、２枚のパネル部材Ｃ１０、Ｃ１１を折畳み可能に連結されてなり、発電時に拡開し、収納時において折畳むようになっている。図示においては、拡開して発電する状態を示しているが、収納時における折畳みの構成は、図において前後方向中心（太実線で示す）において、パネル部材Ｃ１０に対してパネル部材Ｃ１１が上方で重なるように折畳まれる構成である。２枚のパネル部材Ｃ１０、Ｃ１１間にはダンパーＣ１２が設けられており、このダンパーＣ１２の弾発力によって、パネル部材Ｃ１０、Ｃ１１の拡開動作及び折畳み動作を補助するようになっている。尚、パネル部材Ｃ１０、Ｃ１１の枚数は、例示した２枚に限定するものではない。
【００２０】
また、ソーラーパネルＣ１は、運転席１Ａの上方に設けられた回転支持部１０Ａに、鉛直線を中心として回転自在に支持されており、太陽の方向にソーラーパネルＣ１を回転させることで、太陽光を最適に受けることができ、効率よく発電することができる。尚、ソーラーパネルＣ１の回転角度は、２７０°程度が好ましいが、本考案ではこの角度に限定するものではない。
【００２１】
また、ソーラーパネルＣ１は、パネル面Ｃ２０が水平状態から傾斜状態となるように可変に支持されており、傾斜状態にすることによって太陽光を最適に受けることができ、効率よく発電することができる。ソーラーパネルＣ１の傾斜角度は、４５°〜５５°程度が好ましいが、本考案ではこの角度に限定するものではない。尚、太陽の位置に応じて傾斜角度を調節可能な構成としてもよい。
【００２２】
パネル部材Ｃ１０、Ｃ１１は夫々、枠体Ｃ３０、Ｃ３１に対して水平状態から傾斜状態となるように支持されている。枠体Ｃ３０、Ｃ３１は、パネル部材Ｃ１０、Ｃ１１同様に折畳み可能に連結されている。パネル部材Ｃ１０を支持する枠体Ｃ３０は、回転支持部１０Ａに回転自在に支持され、この枠体１０を回転させることによって、ソーラーパネルＣ１全体が回転するようになっている。
【００２３】
ＬＥＤ電光表示板２０は、上下動可能に設けられており、安全通行誘導を行う際に上昇させるようになっている。このＬＥＤ電光表示板２０が上昇すると、荷室１Ｂの壁面に設けられた工事表示灯２２が現れるようになっている。尚、ＬＥＤ電光表示板２０を下降させた状態において、このＬＥＤ電光表示板２０を保護したり隠したりする扉やシャッター等を荷室１Ｂに備えるようにしてもよい（図示せず）。
【００２４】
尚、本考案は、例示した実施の形態に限定するものではなく、実用新案登録請求の範囲の各項に記載された内容から逸脱しない範囲の構成による実施が可能である。
【符号の説明】
【００２５】
１：車両（安全通行誘導車両）
Ｂ１：バッテリー
Ｂ２：外部電源接続部
Ｃ：太陽光発電部
Ｃ１：ソーラーパネル
Ｃ１０：パネル部材
Ｃ１１：パネル部材
Ｄ：電装機器
【図１】
0003165120.tif 000003
【図２】
0003165120.tif 000004
【図３】
0003165120.tif 000005
【図４】
0003165120.tif 000006